(57)【要約】      （修正有）【課題】十分な保持力を確保し容易に取り外すことができ、保持力の設定が可能で、横方向の力が加わっても外れないグローブボックス用仕切板の固定構造を提供する。【解決手段】グローブボックス２の収納空間５を仕切るために使用される着脱可能なセパレーター６を固定する構造であって、周壁のうち対向して略平行に広がる一対の上下側壁７Ｕ、７Ｄとにセパレーター６の上下側フランジ部１１Ｕ、１１Ｄとをそれぞれ摺動可能に嵌合する上下溝部８Ｕ、８Ｄとが備えられ、前側フランジ部１１Ｆに設けられた係合爪部１２と周壁のうち前側壁７Ｆに設けられかつ係合爪部１２に係合する係合穴９とからなる係合機構IIと、セパレーター６の上側フランジ部１１Ｕの挿入方向後端側に設けられた係合爪部１３と上溝部８Ｕに設けらかつ係合爪部１３に係合する係合穴１７とからなる係合機構IIとが備えられて、係合機構Iと係合機構IIとの協働によりセパレーター６を固定する。【選択図】図１１
2008302887.tif 000002
【特許請求の範囲】
【請求項１】
自動車の収納ボックスの収納空間を仕切るために使用される着脱可能な仕切り板を収納ボックス本体に固定するための収納ボックス用仕切り板の固定構造であって、
収納空間を囲う周壁のうち対向して略平行に広がる一対の周壁に仕切り板の挿入方向両側縁部をそれぞれ摺動可能に嵌合する一対の嵌合溝部が備えられ、
仕切り板の挿入方向前端縁部に設けられた第１の係合部と収納空間を囲う周壁のうち仕切り板の挿入方向前側の周壁に設けられかつ第１の係合部に係合する第１の被係合部とからなる第１の係合機構と、
仕切り板の挿入方向両側縁部のうち少なくとも一方の挿入方向後端側に設けられた第２の係合部と該第２の係合部に対応する側の嵌合溝部に設けられかつ第２の係合部に係合する第２の被係合部とからなる第２の係合機構とが備えられて、
第１の係合機構と第２の係合機構との協働により仕切り板を固定することを特徴とする収納ボックス用仕切り板の固定構造。
【請求項２】
前記第２の係合部と前記第２の被係合部とが係合穴と該係合穴に係合する係合爪とによって構成され、該係合穴と該係合爪との協働により前記仕切り板を挿入方向に係脱可能とすることを特徴とする請求項１に記載の収納ボックス用仕切り板の固定構造。
【請求項３】
前記係合爪が挿入方向後端側に傾斜部を有しかつ該傾斜角を設定することにより第２の係合機構の係合による保持力を調整可能とすることを特徴とする請求項２に記載の収納ボックス用仕切り板の固定構造。
【発明の詳細な説明】
【技術分野】
【０００１】
本発明は、自動車の収納ボックスの収納空間を仕切るために使用される着脱可能な仕切り板を収納ボックス本体に固定するための収納ボックス用仕切り板の固定構造に関する。
【背景技術】
【０００２】
従来から、自動車の収納ボックスの収納空間を仕切るために使用される着脱可能な仕切り板を収納ボックス本体に固定するための収納ボックス用仕切り板の固定構造が知られている。
【０００３】
図１（ａ）において、符号１は自動車の車室前側に設けられたインストルメントパネル、符号２は小物を収納するための樹脂製のグローブボックスである。図１（ｂ）に示すように、グローブボックス２は、インストルメントパネル１に備え付けられたグローブボックス本体２ａと、グローブボックス本体２ａに開閉可能に取り付けられた蓋３とによって構成されている。
【０００４】
蓋３を開くと、収納空間５が開放されて小物の出し入れが可能な状態となる。本従来例に係るグローブボックス２には、収納空間５を左右に仕切るためのセパレーター６が着脱可能となっており、ユーザーの使い勝手に合わせて収納空間５を仕切ることが可能になっている。
【０００５】
図２（ａ），図２（ｂ）に示すように、収納空間５は、右側壁７Ｒ，上側壁７Ｕ，左側壁７Ｌ，下側壁７Ｄ，前側壁７Ｆによって囲われており、上側壁７Ｕと下側壁７Ｄとには、上下の対向位置にそれぞれ上溝部８Ｕと下溝部８Ｄとが形成され、それぞれ収納空間５の奥行き方向全域に渡って伸びている。
【０００６】
また、前側壁７Ｆには、上溝部８Ｕの前端縁と下溝部８Ｄの前端縁との略中間位置に係合穴９が設けられている。
【０００７】
上溝部８Ｕは、案内溝８Ｕａと、嵌合溝８Ｕｂと、これらの間の段差部８Ｕｃとによって構成され、下溝部８Ｄは、案内溝８Ｄａと、嵌合溝８Ｄｂと、これらの間の段差部８Ｄｃとによって構成されている。
【０００８】
図３（ａ），図３（ｂ）に示すように、セパレーター６には、プレート部１０が設けられており、プレート部１０の周囲には段差部を介して、前側フランジ部１１Ｆと、上側フランジ部１１Ｕと、後側フランジ部１１Ｂと、下側フランジ部１１Ｄとが設けられている。
【０００９】
前側フランジ部１１Ｆには、グローブボックス本体２ａの前側壁７Ｆに設けられた係合穴９に対応する位置に係合爪部１２が設けられており、この係合爪部１２は、上下一対の爪部１２ａと爪部１２ｂとによって構成されている。
【００１０】
セパレーター６をグローブボックス本体２ａに装着する際には、係合爪部１２の爪部１２ａ，１２ｂが係合穴９の構成壁に内側から上下方向に係合するようになっており、セパレーター６を取り外す際には、セパレーター６を挿入方向後方に引き抜くことによって、爪部１２ａ，１２ｂの可撓性により係合の解除が可能となっている。
【００１１】
セパレーター６の挿入方向後端縁の上側角部には、上側に突出した係合爪部１３が設けられており、この係合爪部１３は、上記上側角部から上側に延びる上側爪部１３ａを有している。
【００１２】
図２に示すように、案内溝８Ｄａと嵌合溝８Ｄｂとの溝の幅や高さは、嵌合溝８Ｄｂに比べて案内溝８Ｄａの方が大きくなっており、案内溝８Ｕａと嵌合溝８Ｕｂとの溝の幅や高さは、嵌合溝８Ｕｂに比べて案内溝８Ｕａの方が大きくなっている。
【００１３】
図４に示すように、案内溝８Ｕａと嵌合溝８Ｕｂとの間に生じる段差には、この段差を塞ぐ隔壁１６が設けられ、この隔壁１６と一対の溝側壁８Ｕａｓ，８Ｕａｓとの間の角部からは対向して内向きにかつ溝天壁８Ｕａｕに平行に延びる一対の板状の外れ防止リブ１６ａ，１６ａとが設けられている。
【００１４】
一対の外れ防止リブ１６ａ，１６ａの後端側の角部は円弧状に丸みを帯びており、セパレーター６の上側爪部１３ａが、一対の外れ防止リブ１６ａ，１６ａの間にスムーズに案内されるようになっており、セパレーター６の上側爪部１３ａが、一対の外れ防止リブ１６ａ，１６ａの間に受け入れられると、力がセパレーター６に側方から加わった際に、上側爪部１３ａが外れ防止リブ１６ａに係止されるので、セパレーター６の側方への外れが防止できるようになっている。
【００１５】
なお、この他の関連する従来技術としては、仕切り板を外すことによってグローブボックス本体内の掃除が容易になり、さらに、収納空間の様々な仕切り方を可能とするグローブボックスが知られている（特許文献１参照）。
【特許文献１】特開平１１−２９１８２８号公報
【発明の開示】
【発明が解決しようとする課題】
【００１６】
ところで、従来例のグローブボックス用仕切板の固定構造では、図５（ａ）に示すように、前側壁７Ｆの係合穴９に係合爪部１２の爪部１２ａ，１２ｂを係合させることによりセパレーター６を挿入方向に固定している。
【００１７】
セパレーター６を係合穴９と係合爪部１２との係合によって挿入方向に十分な保持力で保持するには、係合穴９や爪部１２ａ，１２ｂを大きくし、爪部１２ａ，１２ｂと、係合穴９の構成壁とのオーバーラップ部分を大きくする必要がある。
【００１８】
係合穴９や爪部１２ａ，１２ｂを大きくして保持力を大きくすると、セパレーター６が外れにくくなるので、ユーザーはグローブボックス２からセパレーター６を外そうとする際に、係合穴９と係合爪部１２との係合を解除すべく、図５（ａ）に示すように、セパレーター６の後端部の上方を引張ったり（Ｆ１）、中央を引張ったり（Ｆ２）、下方を引張ったり（Ｆ３）して、係合爪部１２を上下に動かしながら取り外そうとするであろう。
【００１９】
しかしながら、セパレーター６は、上溝部８Ｕと下溝部８Ｄとの間に嵌合しており、遊びが僅かしかない上に、ユーザーが力を加えるセパレーター６の後端部と係合爪部１２との距離は、セパレーター６の上下長さに比べて遠いために、係合を解除させるような力を係合爪部１２に加えられず、セパレーター６を外すのが困難であるという問題があった。
【００２０】
そこで、セパレーター６を外そうとして、セパレーター６を強引に引張ってしまうと、係合穴９や係合爪部１２を破損してしまうおそれがある。
【００２１】
ところで、図５（ｂ）に示すように、グローブボックス本体２ａの上側壁７Ｕと下側壁７Ｄとの間の高さと、セパレーター６の高さとの寸法公差が規定値を満たしていれば、グローブボックス２の内部でセパレーター６に横方向の力（Ｆ４）が作用しても、セパレーター６の上側爪部１３ａが段差部８Ｕｃに設けられた外れ防止リブ１６ａによって係止されるので、セパレーター６が外れることはない。
【００２２】
しかしながら、図５（ｃ）に示すように、上記寸法公差が規定値を満たさずに高さ方向の遊びが大きいか、あるいは、グローブボックス本体２ａやセパレーター６が日射による高温や収納された小物の荷重などにより変形していると、グローブボックス２の内部でセパレーター６に横方向の力（Ｆ４）が作用した際に、セパレーター６の上側爪部１３ａが外れ防止リブ１６ａに係止されることなくセパレーター６が外れてしまうおそれがあった。
【００２３】
そこで、十分な保持力を確保しつつも容易に取り外すことができ、保持力の設定が可能で、しかも横方向の力が加わっても外れないグローブボックス用仕切板の固定構造を提供することを目的にしている。
【課題を解決するための手段】
【００２４】
上記目的を達成するために請求項１に記載の発明は、自動車の収納ボックスの収納空間を仕切るために使用される着脱可能な仕切り板を収納ボックス本体に固定するための収納ボックス用仕切り板の固定構造であって、
収納空間を囲う周壁のうち対向して略平行に広がる一対の周壁に仕切り板の挿入方向両側縁部をそれぞれ摺動可能に嵌合する一対の嵌合溝部が備えられ、
仕切り板の挿入方向前端縁部に設けられた第１の係合部と収納空間を囲う周壁のうち仕切り板の挿入方向前側の周壁に設けられかつ第１の係合部に係合する第１の被係合部とからなる第１の係合機構と、
仕切り板の挿入方向両側縁部のうち少なくとも一方の挿入方向後端側に設けられた第２の係合部と該第２の係合部に対応する側の嵌合溝部に設けられかつ第２の係合部に係合する第２の被係合部とからなる第２の係合機構とが備えられて、
第１の係合機構と第２の係合機構との協働により仕切り板を固定する収納ボックス用仕切り板の固定構造を特徴としている。
【００２５】
そして、請求項２に記載の発明は、前記第２の係合部と前記第２の被係合部とが係合穴と該係合穴に係合する係合爪とによって構成され、該係合穴と該係合爪との協働により前記仕切り板を挿入方向に係脱可能とする請求項１に記載の収納ボックス用仕切り板の固定構造を特徴としている。
【００２６】
また、請求項３に記載の発明は、前記係合爪が挿入方向後端側に傾斜部を有しかつ該傾斜角を設定することにより第２の係合機構の係合による保持力を調整可能とする請求項２に記載の収納ボックス用仕切り板の固定構造を特徴としている。
【発明の効果】
【００２７】
このように構成された本発明の請求項１または請求項２のものは、第１の被係合部と第１の係合部とによって構成された係脱可能な第１の係合機構の他に、第２の係合部（係合爪）と第２の被係合部（係合穴）とによって構成された係脱可能な第２の係合機構が設けられているので、従来例に比べて十分な保持力で仕切り板を保持できる。
【００２８】
また、ユーザーが仕切り板を取り外す際には、仕切り板の後端部を掴んで挿入方向後方に引き抜くので、仕切り板の挿入方向後端縁の上側角部に設けられた第２の係合部（係合爪）の第２の係合部の先端部に比較的近い部分を掴んで力を加えることができるので、第２の係合部の先端部と第２の被係合部（係合穴）との係合を容易に解除して、仕切り板を取り外すことができる。
【００２９】
さらに、第２の係合部の先端部が第２の被係合部（係合穴）によって係止されているので、仕切り板に側方から力が加わっても仕切り板が外れにくく、寸法公差や部材の変形などの影響を受けにくい。
【００３０】
そして、請求項３のものは、第２の係合部の先端部の後端側の上下方向から測った傾斜角度を小さくすれば保持力が増し、この傾斜角度を大きくすれば保持力が小さくなるので、傾斜角度を変えることによって仕切り板の保持力の設定が容易に設定できる。
【発明を実施するための最良の形態】
【００３１】
以下、本発明に係る実施の形態の実施例に基づいて本発明を説明する。なお、図面の符号は、従来例と同一乃至均等な部分については同一の符号を付すものとする。
【実施例】
【００３２】
〈構成〉
図１（ａ）において、符号１は自動車の車室前側に設けられたインストルメントパネル、符号２は小物を収納するためのグローブボックスである。
【００３３】
図１（ｂ）に示すように、グローブボックス２は、インストルメントパネル１に備え付けられたグローブボックス本体２ａと、グローブボックス本体２ａに開閉可能に取り付けられた蓋３とによって構成されており、蓋３には蓋３を開く際に手を引っ掛けるノブ部４が設けられている。
【００３４】
蓋３を開くと、収納空間５が開放されて小物の出し入れが可能な状態となる。
【００３５】
本発明の収納ボックス用仕切り板の固定構造は、自動車のグローブボックス２の収納空間５を仕切るために使用される着脱可能なセパレーター６をグローブボックス本体２ａに固定するためのものである。
【００３６】
本実施例に係るグローブボックス２には、収納空間５を左右に仕切るためのセパレーター６が着脱可能となっており、ユーザーの使い勝手に合わせて収納空間５を仕切ることが可能になっている。
【００３７】
グローブボックス本体２ａとセパレーター６とは、主に樹脂によって形成されており、僅かに可撓性を有している。
【００３８】
図２（ａ），図２（ｂ）に示すように、収納空間５は、右側壁７Ｒ，上側壁７Ｕ，左側壁７Ｌ，下側壁７Ｄ，前側壁７Ｆによって囲われている。
【００３９】
対向して略平行に広がる上側壁７Ｕと下側壁７Ｄとには、上下の対向位置にそれぞれ上溝部８Ｕと下溝部８Ｄとが形成されており、これらは、それぞれ収納空間５の奥行き方向全域に渡って伸びている。
【００４０】
また、前側壁７Ｆには、上溝部８Ｕの前端縁と下溝部８Ｄの前端縁との略中間位置に係合穴９が設けられている。
【００４１】
上溝部８Ｕは、案内溝８Ｕａと、嵌合溝８Ｕｂと、これらの間の段差部８Ｕｃとによって構成され、下溝部８Ｄは、案内溝８Ｄａと、嵌合溝８Ｄｂと、これらの間の段差部８Ｄｃとによって構成されており、案内溝８Ｕａ，８Ｄａや嵌合溝８Ｕｂ，８Ｄｂは、すべて長手方向横断面形状が略等脚台形形状を呈している。
【００４２】
図６（ａ），図６（ｂ）に示すように、セパレーター６には、プレート部１０が設けられており、プレート部１０の周囲には段差部を介して、前側フランジ部１１Ｆと、上側フランジ部１１Ｕと、後側フランジ部１１Ｂと、下側フランジ部１１Ｄとが設けられている。
【００４３】
上側壁７Ｕと下側壁７Ｄとにそれぞれ形成された上溝部８Ｕと下溝部８Ｄとには、セパレーター６の上側フランジ部１１Ｕと下側フランジ部１１Ｄとがそれぞれ摺動可能に嵌合される。
【００４４】
前側フランジ部１１Ｆには、グローブボックス本体２ａの前側壁７Ｆに設けられた係合穴９に対応する位置に係合爪部１２が設けられており、この係合爪部１２は、上下一対の爪部１２ａと爪部１２ｂとによって構成されている。
【００４５】
セパレーター６を装着する際には、係合爪部１２の爪部１２ａ，１２ｂが係合穴９の構成壁に内側から上下方向に係合するようになっており、セパレーター６を取り外す際には、セパレーター６を挿入方向後方に引き抜くことによって、爪部１２ａ，１２ｂの可撓性により係合の解除が可能となっている。
【００４６】
本実施例では、セパレーター６の前側フランジ部１１Ｆに設けられた係合爪部１２と、セパレーター６の前側壁７Ｆに設けられかつ係合爪部１２に係合する係合穴９とによって係脱可能な係合機構Iが構成されている。この係合機構Iによってセパレーター６の係合
爪部１２はグローブボックス本体２ａの前側壁７Ｆに係脱可能となっている。
【００４７】
セパレーター６の挿入方向後端縁の上側角部には、上側に突出した係合爪部１３が設けられており、この係合爪部１３は、上側角部から上側に延びる上側爪部１３ａと、上側爪部１３ａの上端縁からさらに上側に延びる略三角形状の爪先端部１３ｂとによって構成されている。
【００４８】
この三角形状の爪先端部１３ｂが設けられていることが従来例に係るセパレーター６とは異なっている。
【００４９】
また、セパレーター６の挿入方向後端縁の下側角部には、下側に突出した係合爪部１４が設けられており、係合爪部１４は、下向きに延びる板状の下側爪部１４ａと、下側爪部１４ａの下端部前側から前方に向かって延びる突起部１４ｂとによって構成されている。
【００５０】
図７に示すように、案内溝８Ｄａは、溝底壁８Ｄａｄと、溝底壁８Ｄａｄの両側から上方に拡径しつつ延びる一対の溝側壁８Ｄａｓ，８Ｄａｓとによって構成されており、嵌合溝８Ｄｂは、溝底壁８Ｄｂｄと、溝底壁８Ｄｂｄの両側から上方に拡径しつつ延びる一対の溝側壁８Ｄｂｓ，８Ｄｂｓとによって構成されている。
【００５１】
これらの溝の幅や高さは、嵌合溝８Ｄｂに比べて案内溝８Ｄａの方が大きくなっており、案内溝８Ｄａと嵌合溝８Ｄｂとの間に生じる段差には、この段差を塞ぐ隔壁１５と、隔壁１５の下部にセパレーター６の突起部１４ｂを受け入れる嵌合穴１５ａとが設けられている。そして、隔壁１５と嵌合穴１５ａとによって段差部８Ｄｃが構成されている。
【００５２】
図８に示すように、案内溝８Ｕａは、溝天壁８Ｕａｕと、溝天壁８Ｕａｕの両側から下方に拡径しつつ延びる一対の溝側壁８Ｕａｓ，８Ｕａｓとによって構成されており、嵌合溝８Ｕｂは、溝天壁８Ｕｂｕと、溝天壁８Ｕｂｕの両側から下方に拡径しつつ延びる一対の溝側壁８Ｕｂｓ，８Ｕｂｓとによって構成されている。
【００５３】
これらの溝の幅や高さは、嵌合溝８Ｕｂに比べて案内溝８Ｕａの方が大きくなっており、案内溝８Ｕａと嵌合溝８Ｕｂとの間に生じる段差には、この段差を塞ぐ隔壁１６が設けられ、この隔壁１６と一対の溝側壁８Ｕａｓ，８Ｕａｓとの間の角部からは対向して内向きにかつ溝天壁８Ｕａｕに平行に延びる一対の板状の外れ防止リブ１６ａ，１６ａとが設けられている。
【００５４】
そして、これらの隔壁１６と一対の外れ防止リブ１６ａ，１６ａとによって段差部８Ｕｃが構成されている。
【００５５】
一対の外れ防止リブ１６ａ，１６ａの後端側の角部は円弧状に丸みを帯びており、セパレーター６の上側爪部１３ａが、一対の外れ防止リブ１６ａ，１６ａの間にスムーズに案内されるようになっている。
【００５６】
また、セパレーター６の上側爪部１３ａが、一対の外れ防止リブ１６ａ，１６ａの間に受け入れられると、力がセパレーター６に側方から加わった際に、上側爪部１３ａが外れ防止リブ１６ａに係止されるので、セパレーター６の側方への外れが防止できるようになっている。
【００５７】
図９（ａ）に示すように、溝天壁８Ｕａｕには、隔壁１６に隣接する位置に略Ｔ字状の係合穴１７が設けられており、セパレーター６の爪先端部１３ｂを受け入れて嵌合するようになっている。
【００５８】
係合穴１７は、横穴部１７ａと縦穴部１７ｂとによって構成され、横穴部１７ａの構成壁と縦穴部１７ｂの構成壁とが曲面をなして滑らかに接続しており、この曲面の曲率は、一対の外れ防止リブ１６ａ，１６ａの後端側角部の曲率と略一致している。この係合穴１７が設けられていることが従来例に係るグローブボックス本体２ａとは異なっている。
【００５９】
セパレーター６を装着する際には、係合爪部１３の爪先端部１３ｂが係合穴１７によって上溝部８Ｕの幅手方向中央位置の縦穴部１７ｂに案内されるようになっており、セパレーター６を取り外す際には、セパレーター６を挿入方向後方に引き抜くことによって、係合爪部１３や係合穴１７の構成壁としての溝天壁８Ｕａｕの可撓性により係合の解除が可能となっている。
【００６０】
本実施例では、セパレーター６の上側フランジ部１１Ｕの挿入方向後端側に設けられた係合爪部１３と、上溝部８Ｕに設けられかつ係合爪部１３に係合する係合穴１７とによって係脱可能な係合機構IIが構成されている。
【００６１】
そして、係合機構IIによってセパレーター６の係合爪部１３はグローブボックス本体２
ａの上側壁７Ｕに係脱可能となり、係合機構Iと係合機構IIとの協働によりセパレーター
６を固定する。
【００６２】
また、係合爪部１３の爪先端部１３ｂは挿入方向後端側に傾斜部を有しており、この傾斜部の傾斜角θを設定することにより係合機構IIの係合による保持力を調整可能としてい
る。
【００６３】
〈使用方法〉
セパレーター６を装着するときには、図１０（ａ）に示すように、セパレーター６の上下の各係合爪部１３，１４をそれぞれ案内溝８Ｕａと案内溝８Ｄａとに嵌合させた状態でセパレーター６を前方に押し込むと、セパレーター６の上側フランジ部１１Ｕの前端部と下側フランジ部１１Ｄの前端部とがそれぞれ嵌合溝８Ｕｂと嵌合溝８Ｄｂとに嵌合する。
【００６４】
そして、さらにセパレーター６を前方に押し込むと、図１０（ｂ）に示すように、係合爪部１３の爪先端部１３ｂが、溝天壁８Ｕａｕの係合穴１７の横穴部１７ａに入り込み、例えば、図９（ｂ）の矢印Ａ１によって示すように、係合穴１７の構成壁によって縦穴部１７ｂに案内され、図１０（ｃ）に示すように、係合穴１７に嵌合する。
【００６５】
このとき、係合爪部１３の上側爪部１３ａが、段差部８Ｕｃの一対の外れ防止リブ１６ａ，１６ａに案内され、外れ防止リブ１６ａ，１６ａの隙間に受け入れられると同時に、係合爪部１２が係合穴９に嵌合し、さらに、セパレーター６の突起部１４ｂが段差部８Ｄｃの嵌合穴１５ａに嵌合する。
【００６６】
セパレーター６を取り外すときは、図１１（ａ）に示すように、セパレーター６の後側フランジ部１１Ｂなどを掴んで、単に挿入方向後方に引き抜けばよい（Ｆ５）が、係合爪部１３の嵌合が外れにくいときは、セパレーター６の上端付近を掴んで、やや下向きに引き抜けば（Ｆ６）外れやすい。
【００６７】
〈作用効果〉
図１１（ａ）に示すように、係合穴９と係合爪部１２とによって構成された係脱可能な係合機構Iの他に、係合爪部１３と係合穴１７とによって構成された係脱可能な係合機構
IIが設けられているので、従来例に比べて十分な保持力でセパレーター６を保持できる。
【００６８】
そして、図１１（ａ）に示すように、ユーザーがセパレーター６を取り外す際には、後側フランジ部１１Ｂなどセパレーター６の後端部を掴んで挿入方向後方に引き抜くので、セパレーター６の挿入方向後端縁の上側角部に設けられた係合爪部１３の爪先端部１３ｂに比較的近い部分を掴んで力を加えることができるので、爪先端部１３ｂと係合穴１７との係合を容易に解除して、セパレーター６を取り外すことができる。
【００６９】
また、図１１（ｂ）に示すように、上側爪部１３ａが外れ防止リブ１６ａ，１６ａに係止されるだけでなく、爪先端部１３ｂも係合穴１７の縦穴部１７ｂによって係止されているので、セパレーター６に側方から力（Ｆ７）が加わってもセパレーター６が外れにくく、さらに、従来例に比べて、セパレーター６の係合爪部１３が上下方向に長さｈだけ長くなっているので、寸法公差や部材の変形などの影響を受けにくい。
【００７０】
しかも、図１１（ｃ）に示すように、爪先端部１３ｂ後端側の上下方向から測った傾斜角度をθとすると、θを小さくすれば保持力が増し、θを大きくすれば保持力が小さくなるので、傾斜角度θを変えることによりセパレーター６の保持力を容易に設定できる。
【００７１】
さらに、図９（ａ）に示すように、溝天壁８Ｕａｕには、隔壁１６に隣接する位置に略Ｔ字状の係合穴１７が設けられており、セパレーター６を装着する際には、係合爪部１３の爪先端部１３ｂが係合穴１７によって上溝部８Ｕの幅手方向中央位置の縦穴部１７ｂに案内されるようになっているので、樹脂素材の可撓性が不十分であったり、寸法公差によって上溝部８Ｕと下溝部８Ｄとの間の距離が僅かに狭いなどにより、セパレーター６が上下方向から僅かに傾いた状態で上溝部８Ｕと下溝部８Ｄとの間に挿入されたとしても、スムーズに爪先端部１３ｂを縦穴部１７ｂに案内して嵌合させることができる。
【００７２】
以上、図面を参照して、本発明に係る実施の形態の実施例を詳述してきたが、具体的な構成は、この実施の形態に限らず、本発明の要旨を逸脱しない程度の設計的変更は、本発明に含まれるものである。
【００７３】
なお、本実施例では、係合穴１７を略Ｔ字状に形成したが、爪先端部１３ｂが溝天壁８Ｕａｕの幅手方向中央位置の縦穴部１７ｂに案内されるような形状の穴であれば、必ずしも略Ｔ字状でなくてもよい。
【図面の簡単な説明】
【００７４】
【図１】（ａ）はインストルメントパネルの正面図であり、（ｂ）は蓋が開いた状態のグローブボックスの部分斜視図である。これらは従来例と実施例とに共通の図である。
【図２】（ａ）はグローブボックス本体をやや下側から見た斜視図であり、（ｂ）はグローブボックス本体をやや上側から見た斜視図である。これらは従来例と実施例とに共通の図である。
【図３】（ａ）は従来例に係るセパレーターの斜視図であり、（ｂ）は（ａ）のＡ−Ａ断面の断面図である。
【図４】従来例に係るグローブボックス本体をやや下側から見た斜視図であり、上溝部の段差部の拡大図が示されている。
【図５】従来例のグローブボックス用仕切板の固定構造の問題点を説明する図であり、（ａ）はグローブボックス本体とセパレーターとの側面断面図、（ｂ），（ｃ）は正面断面図である。（ｂ）は寸法公差が規定値を満たしていて、側方から力を加えても、セパレーターが外れない場合、（ｃ）は寸法公差が規定値を満たさず、力側方からを加えると、セパレーターが外れてしまう場合を示している。
【図６】（ａ）は実施例に係るセパレーターの斜視図であり、（ｂ）は（ａ）のＢ−Ｂ断面の断面図である。
【図７】実施例に係るグローブボックス本体をやや上側から見た斜視図であり、下溝部の段差部の拡大図が示されている。
【図８】実施例に係るグローブボックス本体をやや下側から見た斜視図であり、上溝部の段差部の拡大図が示されている。
【図９】図８のＤ矢視方向から見た段差部の平面図である。
【図１０】実施例に係るグローブボックス用仕切板の装着方法を説明する側面断面図であり、（ａ）はセパレーターの上側フランジ部と下側フランジ部との前端部が上側嵌合溝と下側嵌合溝とにそれぞれ嵌合した状態、（ｂ）は係合部が係合する直前の状態、（ｃ）は係合部が係合した直後の状態を示している。
【図１１】（ａ）は実施例に係るグローブボックス用仕切板の外し方法を説明する側面断面図であり、（ｂ），（ｃ）は正面断面図である。（ｂ）は側方から力を加えても、セパレーターが外れないことを示しており、（ｃ）は引き抜き力と係合部の傾斜角度の関係を説明している図である。
【符号の説明】
【００７５】
２                      グローブボックス（収納ボックス）
２ａ                    グローブボックス本体（収納ボックス本体）
５                      収納空間
６                      セパレーター（仕切り板）
７Ｕ，７Ｄ              上側壁，下側壁（一対の周壁）
７Ｆ                    前側壁（挿入方向前側の周壁）
８Ｕ，８Ｄ              上溝部，下溝部（一対の嵌合溝部）
８Ｕ                    上溝部（第２の係合部に対応する側の嵌合溝部）
９                      係合穴（第１の被係合部）
１１Ｕ，１１Ｄ          上側フランジ部，下側フランジ部
（仕切り板の挿入方向両側縁部）
１１Ｆ                  前側フランジ部（仕切り板の挿入方向前端縁部）
１２                    係合爪部（第１の係合部）
１３                    係合爪部（第２の係合部，係合爪）
１３ｂ                  爪先端部（第２の係合部の先端部）
１７                    係合穴（第２の被係合部，係合穴）
I                       係合機構（第１の係合機構）
II                      係合機構（第２の係合機構）
【図１】
2008302887.tif 000003
【図２】
2008302887.tif 000004
【図３】
2008302887.tif 000005
【図４】
2008302887.tif 000006
【図５】
2008302887.tif 000007
【図６】
2008302887.tif 000008
【図７】
2008302887.tif 000009
【図８】
2008302887.tif 000010
【図９】
2008302887.tif 000011
【図１０】
2008302887.tif 000012
【図１１】
2008302887.tif 000013